(57)【特許請求の範囲】
【請求項１】
エレベータの乗場及びかごの少なくとも一方に設けられたタッチパネルと、
前記タッチパネルの表示部に前記エレベータの操作画面を表示させる表示制御装置と、
を備え、
前記タッチパネルは、スキャナ機能を有し、前記表示部に利用者の指が接触した場合に、前記スキャナ機能により前記利用者の指紋を取り込み、
前記表示制御装置は、前記タッチパネルが取り込んだ利用者の指紋に基づいて指紋認証を行い、前記指紋認証により特定された利用者に応じた前記エレベータの操作画面として、前記エレベータの行先階を登録するための行先階ボタンを前記タッチパネルの前記表示部に表示させ、前記利用者の指が一定時間内に前記表示部の前記行先階ボタンの表示位置以外で検出された場合は、前記タッチパネルに前記行先階ボタンの表示を維持させることを特徴とするエレベータの操作盤。
【請求項２】
エレベータの乗場及びかごの少なくとも一方に設けられたタッチパネルと、
前記タッチパネルの表示部に前記エレベータの操作画面を表示させる表示制御装置と、
を備え、
前記タッチパネルは、前記表示部の複数個所で同時に複数の指を検知し、
前記表示制御装置は、前記タッチパネルが、予め設定された一定時間以上継続して、同時に複数の指を検出した場合は、指紋認証を行わずに、前記表示部に前記エレベータの特定機能の操作画面を表示させることを特徴とするエレベータの操作盤。
【請求項３】
前記タッチパネルは、前記表示部の任意の位置で、前記利用者の指紋を取り込むことを特徴とする請求項１記載のエレベータの操作盤。
【発明の詳細な説明】
【技術分野】
【０００１】
この発明は、エレベータの操作盤に関するものである。
【背景技術】
【０００２】
セキュリティ機能を付加したエレベータとして、エレベータの乗場に、指紋照合装置やカードリーダ等の個人認証装置とタッチパネル操作盤とを設置したものが提案されている。かかる装置によれば、個人認証装置で乗客を個人認証し、予め記憶しておいた乗客毎の行先階情報に基づいて、所定条件時に乗客が向かう可能性の高い行先階候補を読み出し、タッチパネルに複数個の行先階ボタンを表示することができる（例えば、特許文献１参照）。【０００３】
また、乗場のみならず、かごにおいて、個人認証装置と袖壁操作盤とを設置したり、側面壁操作盤自体に個人認証装置を組み込んだりすることにより、セキュリティを確保するものも提案されている（例えば、特許文献２参照）。
【先行技術文献】
【特許文献】
【０００４】
【特許文献１】日本特開２００５−２３１８８５号公報
【特許文献２】日本特開２００７−２２３７３３号公報
【発明の概要】
【発明が解決しようとする課題】
【０００５】
しかし、引用文献１及び２記載のものでは、操作盤とは別に個人認証装置を設置する必要がある。即ち、別途、個人認証装置の設置スペースが必要となるという問題があった。また、操作盤と個人認証装置との設置距離、配線長さ等を考慮する必要があり、コスト面、意匠面に悪影響を及ぼすという問題があった。【０００６】
この発明は、上述のような課題を解決するためになされたもので、その目的は、省スペース化、低コスト化、意匠性の向上を図ることができるエレベータの操作盤を提供することである。
【課題を解決するための手段】
【０００７】
この発明に係るエレベータの操作盤は、エレベータの乗場及びかごの少なくとも一方に設けられたタッチパネルと、前記タッチパネルの表示部に前記エレベータの操作画面を表示させる表示制御装置と、を備え、前記タッチパネルは、スキャナ機能を有し、前記表示部に利用者の指が接触した場合に、前記スキャナ機能により前記利用者の指紋を取り込み、前記表示制御装置は、前記タッチパネルが取り込んだ利用者の指紋に基づいて指紋認証を行い、前記指紋認証により特定された利用者に応じた前記エレベータの操作画面として、前記エレベータの行先階を登録するための行先階ボタンを前記タッチパネルの前記表示部に表示させ、前記利用者の指が一定時間内に前記表示部の前記行先階ボタンの表示位置以外で検出された場合は、前記タッチパネルに前記行先階ボタンの表示を維持させるものである。
この発明に係るエレベータの操作盤は、エレベータの乗場及びかごの少なくとも一方に設けられたタッチパネルと、前記タッチパネルの表示部に前記エレベータの操作画面を表示させる表示制御装置と、を備え、前記タッチパネルは、前記表示部の複数個所で同時に複数の指を検知し、前記表示制御装置は、前記タッチパネルが、予め設定された一定時間以上継続して、同時に複数の指を検出した場合は、指紋認証を行わずに、前記表示部に前記エレベータの特定機能の操作画面を表示させるものである。
【発明の効果】
【０００８】
この発明によれば、操作盤の省スペース化、低コスト化、意匠性の向上を図ることができる。
【図面の簡単な説明】
【０００９】
【図１】この発明の実施の形態１におけるエレベータの操作盤が設置されたエレベータの乗場の正面図である。
【図２】この発明の実施の形態１におけるエレベータの操作盤の認証画面である。
【図３】この発明の実施の形態１におけるエレベータの操作盤で利用者が一般乗客として指紋認証された場合の表示画面である。
【図４】この発明の実施の形態１におけるエレベータの操作盤で利用者が保守者として指紋認証された場合の表示画面である。
【図５】この発明の実施の形態１におけるエレベータの操作盤のメンテナンスモードの動作を説明するためのフローチャートである。
【図６】この発明の実施の形態１におけるエレベータの操作盤で利用者が管理者として指紋認証された場合の表示画面である。
【図７】この発明の実施の形態１におけるエレベータの操作盤のシークレットモードの動作を説明するためのフローチャートである。
【図８】この発明の実施の形態１におけるエレベータの操作盤で指紋認証されなかった場合の表示画面である。
【図９】この発明の実施の形態１におけるエレベータの操作盤の動作を説明するためのフローチャートである。
【図１０】この発明の実施の形態２におけるエレベータの操作盤の動作を説明するためのフローチャートである。
【図１１】この発明の実施の形態３におけるエレベータの操作盤の行先階登録画面である。
【図１２】この発明の実施の形態３におけるエレベータの操作盤で指紋認証されなかった場合の表示画面である。
【図１３】この発明の実施の形態３におけるエレベータの操作盤の動作を説明するためのフローチャートである。
【図１４】この発明の実施の形態４におけるエレベータの操作盤の動作を説明するためのフローチャートである。
【図１５】この発明の実施の形態５におけるエレベータの操作盤で行先階を入力している場合の表示画面である。
【図１６】この発明の実施の形態５におけるエレベータの操作盤の動作を説明するためのフローチャートである。
【図１７】この発明の実施の形態６におけるエレベータの操作盤の認証画面である。
【図１８】この発明の実施の形態６におけるエレベータの操作盤の行先階登録画面の第１例である。
【図１９】この発明の実施の形態６におけるエレベータの操作盤の行先階登録画面の第２例である。
【図２０】この発明の実施の形態６におけるエレベータの操作盤の動作を説明するためのフローチャートである。
【図２１】この発明の実施の形態７におけるエレベータの操作盤の動作を説明するためのフローチャートである。
【図２２】この発明の実施の形態８におけるエレベータの操作盤でのモード切替方法を説明するための表示画面である。
【図２３】この発明の実施の形態８におけるエレベータの操作盤の動作を説明するためのフローチャートである。
【発明を実施するための形態】
【００１０】
この発明を実施するための形態について添付の図面に従って説明する。なお、各図中、同一又は相当する部分には同一の符号を付しており、その重複説明は適宜に簡略化ないし省略する。
【００１１】
実施の形態１．
図１はこの発明の実施の形態１におけるエレベータの操作盤が設置されたエレベータの乗場の正面図である。
図１において、１はエレベータの乗場である。この乗場１は、エレベータの建築階の各階に設けられる。本実施の形態においては、建築物は８階建である。１〜６階は、一般利用可能な階である。一方、７及び８階は、建築物やエレベータの保守者、管理者等、特別に許可を受けた者しか利用できない階である。
【００１２】
２は乗場出入口である。これらの乗場出入口２は、建築壁に並んで形成される。この乗場出入口２は、当該乗場１に到着したかごの出入口に通じるものである。３は乗場の戸である。この乗場の戸３は、乗場出入口２に設けられる。この乗場の戸３は、当該乗場１に到着したかごに設けられたかごの戸と連動して、乗場出入口２を開閉する機能を備える。
【００１３】
４はインジケータである。これらのインジケータ４は、乗場出入口２上方の建築壁に設けられる。これらのインジケータ４は、エレベータのかご位置を表示する機能を備える。５は方向灯である。この方向灯５は、両乗場出入口２間の建築壁に設けられる。この方向灯５は、エレベータの進行方向を表示する機能を備える。
【００１４】
６はタッチパネル操作盤である。このタッチパネル操作盤６は、方向灯５の下方で、両乗場出入口２間の建築壁に設けられる。このタッチパネル操作盤６は、カラー液晶パネル７と表示制御装置８とを備える。
【００１５】
カラー液晶パネル７は、半透過型の表示部を乗場１側に露出させている。このカラー液晶パネル７は、ガラス基盤に光センサ（フォトダイオード）と増幅器を搭載することで、タッチパネルとしての機能とイメージスキャナとしての機能とを兼ね備える。即ち、カラー液晶パネル７は、表示部に接触した物体の画像を取り込む機能を備える。具体的には、カラー液晶パネル７は、表示部にエレベータの利用者の指が接触した場合に、スキャナ機能により利用者の指紋を取り込む機能を備える。
【００１６】
表示制御装置８は、カラー液晶パネル７が取り込んだ利用者の指紋に基づいて指紋認証を行い、指紋認証により特定された利用者に応じたエレベータの操作画面を、カラー液晶パネル７の表示部に表示させる機能を備える。
【００１７】
次に、図２を用いて、タッチパネル操作盤６による指紋認証方法を説明する。
図２はこの発明の実施の形態１におけるエレベータの操作盤の認証画面である。
図２において、９は認証画面である。この認証画面９は、カラー液晶パネル７の表示部に表示される。この認証画面９の上側には、「パネルに触れて下さい。」と案内表示がなされる。この案内表示の下方には、横長の長方形の枠が表示される。これにより、利用者は、長方形の枠内を指１０で触れるように促される。利用者の指１０がカラー液晶パネル７の表示部に触れた場合、カラー液晶パネル７は、利用者の指１０から指紋を取り込む。
【００１８】
そして、表示制御装置８は、カラー液晶パネル７が取り込んだ指紋を、予め記憶されている認証用指紋データと照合して認証を行う。この認証用指紋データは、一般乗客、保守者、管理者を区別して記憶されている。表示制御装置８は、認証された利用者が、一般乗客、保守者、管理者のいずれであるかを判別する。
【００１９】
次に、図３〜図８を用いて、指紋照合後のカラー液晶パネル７の表示部を説明する。
図３はこの発明の実施の形態１におけるエレベータの操作盤で利用者が一般乗客として指紋認証された場合の表示画面である。
【００２０】
図３に示すように、利用者が一般乗客として指紋認証された場合、行先階登録画面１１が表示される。具体的には、１〜６階の行先階ボタンとして、「１」〜「６」がそれぞれ正方形の枠に囲まれ、二次元的に配列されて表示される。これにより、一般乗客に対し、１階〜６階の呼び登録が可能であることが報知される。
【００２１】
図４はこの発明の実施の形態１におけるエレベータの操作盤で利用者が保守者として指紋認証された場合の表示画面である。図５はこの発明の実施の形態１におけるエレベータの操作盤のメンテナンスモードの動作を説明するためのフローチャートである。
【００２２】
図４に示すように、利用者が保守者として指紋認証された場合、メンテナンス画面１２が表示される。具体的には、カラー液晶パネル７の表示部の上側には、「メンテナンスモード」と表示される。また、カラー液晶パネル７の表示部の下側には、メンテナンス終了ボタンとして、「ＥＮＤ」が表示される。
【００２３】
さらに、カラー液晶パネル７の表示部の中央左側には、１〜８階の行先階ボタンとして、「１」〜「８」の表示がなされ、中央右側には、各種操作ボタンとして、「ＵＰ」、「ＤＯＷＮ」、「ＲＵＮ」、「ＳＴＯＰ」、「ＯＮ」、「ＯＦＦ」がなされる。保守者は、上記行先階ボタンと各種操作用ボタンに触れることにより、種々のエレベータ操作を行うことができる。即ち、操作盤内に開戸とメンテナンス専用スイッチとを設けることなく、保守者によるエレベータのメンテナンスが行えるようになっている。
【００２４】
ここで、エレベータのメンテナンス時は、一般乗客がエレベータを利用することはない。このため、メンテナンス時においては、セキュリティ性よりもメンテナンスの作業性が重視される。即ち、保守者がメンテナンス終了ボタンに触れるまでは、通常のモードに戻らないようになっている。
【００２５】
具体的には、図５に示すように、ステップＳ１で、図４のメンテナンス画面１２が表示され、ステップＳ２に進む。ステップＳ２では、いずれかの操作ボタンに指１０が触れたか否かが判定される。いずれの操作ボタンにも指１０が触れない場合は、ステップＳ３に進む。ステップＳ３では、メンテナンス終了ボタンに指１０が触れたか否かが判定される。メンテナンス終了ボタンに指１０が触れない場合は、ステップＳ２に戻る。
【００２６】
メンテナンス終了ボタンに指１０が触れた場合は、ステップＳ４に進む。ステップＳ４では、通常のモードに戻り、動作が終了する。一方、ステップＳ２で、いずれかの操作ボタンに指１０が触れた場合は、ステップＳ５に進む。ステップＳ５では、指１０が触れた操作ボタンに対応した所定のエレベータ操作が登録され、ステップＳ１に戻る。
【００２７】
図６はこの発明の実施の形態１におけるエレベータの操作盤で利用者が管理者として指紋認証された場合の表示画面である。図７はこの発明の実施の形態１におけるエレベータの操作盤のシークレットモードの動作を説明するためのフローチャートである。
【００２８】
図６に示すように、利用者が管理者として指紋認証された場合、シークレット階登録画面１３が表示される。具体的には、カラー液晶パネル７の表示部の上側には、「シークレット階登録モード」と表示される。この場合、「１」〜「６」に加え、７及び８階の行先階ボタンとして「７」、「８」がそれぞれ二重の正方形の枠に囲まれて表示される。上記行先階ボタンの表示により、管理者は、１〜６階だけでなく、７及び８階の呼び登録が可能となる。即ち、管理者は、一般乗客には利用が許可されていない７及び８階に行くことができる。
【００２９】
具体的には、図７に示すように、ステップＳ１１では、図６のシークレット階登録モード画面１３が表示され、ステップＳ１２に進む。ステップＳ１２では、一定時間が経つ前に、行先階ボタンに指１０が触れたか否かが判定される。一定時間が経つ前に、行先階ボタンに指１０が触れた場合は、ステップＳ１３に進み、指１０の触れた行先階ボタンに対応した行先階が登録される。その後、ステップＳ１４に進み、通常のモードとなり、動作が終了する。一方、ステップＳ１２で、一定時間が経つ前に、行先階ボタンに指１０が触れない場合は、セキュリティ維持のため、ステップＳ１３、Ｓ１４を経由せずに、動作が終了する。
【００３０】
図８はこの発明の実施の形態１におけるエレベータの操作盤で指紋認証されなかった場合の表示画面である。
図８に示すように、利用者が、一般乗客、保守者、管理者のいずれでもなく、指紋認証されなかった場合、エラーメッセージ画面１４が表示される。
【００３１】
具体的には、カラー液晶パネル７の表示部の上側には、「認証ＮＧ」と横長の長方形の枠に囲まれて表示される。また、カラー液晶パネル７の表示部の中央には、「エレベータを操作することができません」と表示される。これにより、利用者に対し、エレベータを利用することができないことが報知される。
【００３２】
次に、図９を用いて、タッチパネル操作盤６の一連の動作を説明する。
図９はこの発明の実施の形態１におけるエレベータの操作盤の動作を説明するためのフローチャートである。
【００３３】
まず、ステップＳ２１では、初期状態として、カラー液晶パネル７の表示部に、図２の認証画面９が表示され、ステップＳ２２に進む。ステップＳ２２で、カラー液晶パネル７の表示部に利用者の指１０が接触すると、当該指１０がカラー液晶パネル７に検知される。そして、カラー液晶パネル７が当該指１０から指紋を取り込み、ステップＳ２３に進む。ステップＳ２３では、指紋照合が行われる。そして、指紋照合により指紋認証された場合は、ステップＳ２４に進む。ステップＳ２４では、指紋認証された利用者が一般乗客か否かが判定される。
【００３４】
指紋認証された利用者が一般乗客の場合は、ステップＳ２５に進む。ステップＳ２５では、図３の行先階登録画面１１が表示され、ステップＳ２６に進む。ステップＳ２６では、一定時間が経つ前にいずれかの行先階ボタンに指１０が触れたか否かが判定される。一定時間が経つ前にいずれの行先階ボタンにも指１０が触れない場合は、指紋認証されていない者が行先階ボタンの操作を行うことを防止し、セキュリティを維持するように、ステップＳ２１に戻る。一方、一定時間が経つ前に行先階ボタンに指１０が触れた場合は、ステップＳ２７に進む。ステップＳ２７では、指１０の触れた行先階ボタンに対応した行先階が登録され、動作が終了する。
【００３５】
また、ステップＳ２４で、指紋認証された利用者が一般乗客でない場合は、ステップＳ２８に進む。ステップＳ２８では、指紋認証された利用者が保守者か否かが判定される。指紋認証された利用者が保守者の場合は、ステップＳ２９に進む。ステップＳ２９では、図４、図５で説明したメンテナンスモードとなり、動作が終了する。
【００３６】
一方、ステップＳ２８で、指紋認証された利用者が保守者でない場合は、ステップＳ３０に進む。ステップＳ３０では、指紋認証された利用者が管理者か否かが判定される。指紋認証された利用者が管理者の場合は、ステップＳ３１に進む。ステップＳ３１では、図６、図７で説明したシークレットモードとなり、動作が終了する。
【００３７】
これに対し、ステップＳ３０で、指紋認証された利用者が管理者でない場合は、ステップＳ３２に進む。ステップＳ３２では、その他のモードとなり、動作が終了する。このその他のモードは、種々の客先要求に対応させて設定される。例えば、利用者が予め登録されている身障者として指紋認証された場合は、車イスを利用した身障者に適したエレベータの操作画面が、カラー液晶パネル７の表示部に表示される。
【００３８】
なお、ステップＳ２３で、指紋認証されなかった場合は、ステップＳ３３に進む。ステップＳ３３では、カラー液晶パネル７の表示部に、図８のエラーメッセージ画面１４が表示されて、ステップＳ１１に戻り、上記動作を繰り返す。
【００３９】
以上で説明した実施の形態１によれば、表示制御装置８は、カラー液晶パネル７が取り込んだ利用者の指紋に基づいて指紋認証を行い、指紋認証により特定された利用者に応じたエレベータの操作画面を、カラー液晶パネル７の表示部に表示させる。このため、指紋照合装置、カードリーダ、キーパッド等の個人を特定する装置を別途設けることなく個人認証を行うことができ、タッチパネル操作盤６の薄型化、省スペース化、低コスト化、意匠性の向上を図ることができる。
【００４０】
また、一つの表示画面で、様々な利用者に適したエレベータの操作画面を表示することができる。さらに、マンションのエレベータに適用すれば、セキュリティ性を向上することができる。
【００４１】
なお、実施の形態１では、タッチパネル操作盤６を乗場１に設ける場合で説明した。しかし、タッチパネル操作盤６をかごに設けてもよい。この場合、管理者用画面として、かご内を空調する空調機やかご内を照らす証明装置の操作画面を表示させてもよい。また、表カラー液晶パネル７の表示部の任意の位置で、利用者の指紋を取り込む構成としてもよい。この場合、背の高い利用者、背の低い利用者、車イス利用者等、誰でも容易に指紋認証作業を行うことができるユニバーサルデザインのタッチパネル操作盤６を提供することができる。
【００４２】
実施の形態２．
図１０はこの発明の実施の形態２におけるエレベータの操作盤の動作を説明するためのフローチャートである。なお、実施の形態１と同一又は相当部分には同一符号を付して説明を省略する。
【００４３】
実施の形態１では、図９のステップＳ２６で示したように、一定時間内にいずれの行先階ボタンにも指１０が触れてない場合、ステップＳ２１に戻り、カラー液晶パネル７の表示部が認証画面９に戻るようになっていた。しかし、利用者が、行先階ボタンから外れた位置を誤って触れて行先階登録に失敗してしまう可能性もある。そこで、実施の形態２では、一定時間内に、カラー液晶パネル７の表示部に利用者の指１０が触れれば、行先階ボタンの表示を維持し、認証画面９の表示に戻ることがないようにした。以下、実施の形態１と異なる点を説明する。
【００４４】
図１０に示すように、ステップＳ２５の後、ステップＳ３４で、一定時間が経つ前に、カラー液晶パネル７に指１０が検知されたか否かが判定される。一定時間が経つ前に、指１０が検知された場合は、ステップＳ３５に進む。ステップＳ３５では、いずれかの行先階ボタンに指１０が触れたか否かが判定される。行先階ボタンに指１０が触れた場合は、ステップＳ２７に進み、指１０の触れた行先階ボタンに対応した行先階が登録される。これに対し、いずれの行先階ボタンにも指１０が触れていない場合は、再び、ステップＳ３４に戻り、一定時間が経つ前に、指１０が検知されない場合に限って、ステップＳ２１の認証画面９の表示に戻る。
【００４５】
以上で説明した実施の形態２によれば、表示制御装置８は、利用者の指１０が一定時間内にカラー液晶パネル７の表示部の行先階ボタンの表示位置以外で検出された場合は、カラー液晶パネル７に行先階ボタンの表示を維持させる。このため、タッチパネル操作盤６の操作性をより向上することができる。
【００４６】
実施の形態３．
図１１はこの発明の実施の形態３におけるエレベータの操作盤の行先階登録画面である。図１２はこの発明の実施の形態３におけるエレベータの操作盤で指紋認証されなかった場合の表示画面である。なお、実施の形態１と同一又は相当部分には同一符号を付して説明を省略する。
【００４７】
実施の形態１では、図２に示したように、初期状態において、指紋認証専用の認証画面９が表示されていた。一方、実施の形態３においては、図１１に示すように、初期状態において、実施の形態１の図３と同等の行先階登録画面１５が表示されている。実施の形態３では、利用者の指１６が、行先階ボタンに接触した場合に、指紋認証を行うと同時に、行先階の登録を行う。図１１においては、利用者の指１６が「６」で示された行先階ボタン１７に触れることにより、指紋認証が行われるとともに、行先階として６階が登録される。このとき、「６」で示された行先階ボタン１７が点灯する。これにより、利用者に対し、６階が行先階として登録されたことが報知される。
【００４８】
実施の形態３においては、図１２に示すように、指紋認証されない利用者の指１８が行先階ボタンに触れても、行先階は登録されない。即ち、図１２においては、指紋認証されない利用者の指１８が「６」で示された行先階ボタン１７に触れても、行先階として６階が登録されることはない。このとき、カラー液晶パネル７の表示部の下側には、エラーメッセージ１９として、「６階には案内できません」と表示される。
【００４９】
次に、図１３を用いて、実施の形態３のタッチパネル操作盤６の動作を説明する。
図１３はこの発明の実施の形態３におけるエレベータの操作盤の動作を説明するためのフローチャートである。
まず、ステップＳ４１では、初期状態として、カラー液晶パネル７の表示部に、行先階登録画面１５が表示され、ステップＳ４２に進む。ステップＳ４２では、カラー液晶パネル７の表示部に利用者の指１６、１８が接触すると、当該指１６、１８がカラー液晶パネル７に検知される。そして、カラー液晶パネル７が当該指１６、１８から指紋を取り込み、ステップＳ４３に進む。ステップＳ４３では、いずれかの行先階ボタンに指１６、１８が触れたか否かが判定される。
【００５０】
いずれの行先階ボタンにも指１６、１８が触れていない場合は、ステップＳ４１に戻る。一方、いずれかの行先階ボタンに指１６、１８が触れた場合は、ステップＳ４４に進む。ステップＳ４４では、指紋照合が行われる。指紋照合により指紋認証された場合は、ステップＳ４５に進み、図１１で示したように、指１６が触れた行先階ボタンに対応した行先階が登録され、動作が終了する。一方、利用者が指紋認証されない場合は、ステップＳ４６に進み、図１２で示したように、エラーメッセージ１９が表示され、ステップＳ４１に戻る。
【００５１】
なお、初期状態として表示させるボタンは、エレベータの操作ボタンであれば特に限定されない。即ち、指紋照合とエレベータの動作登録を同時にできる構成になっていればよい。
【００５２】
以上で説明した実施の形態３によれば、表示制御装置８は、カラー液晶パネル７の表示部に予めエレベータの操作ボタンを表示させておき、操作ボタンに利用者の指１６、１８が接触した場合に、指紋照合を行い、指紋照合により指紋認証された場合は、操作ボタンに対応したエレベータの動作を登録する。このため、利用者の１操作で、指紋認証と行先階登録を同時に行うことができ、操作性が向上する。また、これにより、エレベータの運転効率を向上することができる。
【００５３】
実施の形態４．
図１４はこの発明の実施の形態４におけるエレベータの操作盤の動作を説明するためのフローチャートである。なお、実施の形態３等と同一又は相当部分には同一符号を付して説明を省略する。
【００５４】
実施の形態３では、全ての階の登録に指紋認証が必要であった。一方、実施の形態４では、特定階のみ指紋認証が必要となっている。具体的には、実施の形態４は、６停止のエレベータであり、１〜５階は指紋認証不要で一般乗客にも案内可能であるが、６階へは指紋認証された特定の者のみを案内するものである。以下、図１４を用いて、実施の形態４のタッチパネル操作盤６の動作を説明する。
【００５５】
まず、ステップＳ４１では、初期状態として、カラー液晶パネル７の表示部に、行先階登録画面１５が表示され、ステップＳ４２に進む。ステップＳ４２では、カラー液晶パネル７の表示部に利用者の指１６、１８が接触すると、当該指１６、１８がカラー液晶パネル７に検知される。そして、カラー液晶パネル７が当該指１６、１８から指紋を取り込み、ステップＳ４７に進む。ステップＳ４７では、６階に対応した行先階ボタンに指１６、１８が触れたか否かが判定される。
【００５６】
６階に対応した行先階ボタンに指１６、１８が触れた場合は、ステップＳ４８に進む。ステップＳ４８では、指紋照合が行われる。指紋照合で指紋認証された場合は、ステップＳ４９に進む。ステップＳ４９では、行先階として６階が登録される。一方、指紋照合がされない場合は、ステップＳ５０に進む。ステップＳ５０では、エラーメッセージ１９が表示され、ステップＳ４１に戻る。
【００５７】
一方、ステップＳ４７で、６階に対応した行先階ボタンに指１６、１８が触れない場合は、ステップＳ５１に進む。ステップＳ５１では、６階以外の階に対応した行先階ボタンに指１６、１８が触れたか否かが判定される。６階以外の階１６、１８に対応した行先階ボタンに指１６、１８が触れた場合は、ステップＳ４９に進み、指１６、１８の触れた行先階ボタンに対応した行先階が登録され、動作が終了する。これに対し、６階以外の階に対応した行先階ボタンに指１６、１８が触れない場合は、ステップＳ４１に戻る。
【００５８】
以上で説明した実施の形態４によれば、複数の行先階ボタンのうち、特定の行先階ボタンに利用者の指１６、１８が接触した場合は、指紋認証を行って、特定の行先階ボタンに対応した行先階が登録される。一方、特定の行先階ボタン以外の行先階ボタンに利用者の指１６、１８が接触した場合は、指紋照合を行わずに、特定の行先階ボタン以外の行先階ボタンに対応した行先階を登録する。このため、エレベータの運転効率をさらに向上することができる。
【００５９】
実施の形態５．
図１５はこの発明の実施の形態５におけるエレベータの操作盤で行先階を入力している場合の表示画面である。なお、実施の形態１等と同一又は相当部分には同一符号を付して説明を省略する。
【００６０】
実施の形態１では、カラー液晶パネル７の表示部に表示された行先階ボタンに触れることにより行先階を登録した。一方、実施の形態５においては、カラー液晶パネル７の手書き登録画面２０上で、指で手書き操作により数字を描き行先階を登録する。このとき、指紋認証も同時に行われる。
【００６１】
具体的には、図１５に示すように、初期状態の手書き登録画面２０の上側には、「指で行先階をなぞって下さい。」と表示される。これにより、利用者は、手書き登録画面２０上で、行先階をなぞるように促される。図１５においては、利用者の指２１は、手書き登録画面２０上で「３」をなぞっている。カラー液晶パネル７は、スキャナ機能を利用して、指２１の移動軌跡を取り込む。表示制御装置８は、カラー液晶パネル７に取り込まれた指２１の軌跡と予め登録されている文字「３」とが合致するか否かを判定し、文字認識を行う。
【００６２】
次に、図１６を用いて、実施の形態５のタッチパネル操作盤６の動作を説明する。
図１６はこの発明の実施の形態５におけるエレベータの操作盤の動作を説明するためのフローチャートである。
まず、ステップＳ６１では、初期状態として、カラー液晶パネル７の表示部に、図１５の手書き登録画面２０が表示され、ステップＳ６２に進む。ステップＳ６２では、カラー液晶パネル７の表示部に利用者の指２１が接触すると、当該指２１がカラー液晶パネル７に検知される。そして、カラー液晶パネル７が当該指２１から指紋を取り込み、ステップＳ６３に進む。
【００６３】
ステップＳ６３では、指紋照合が行われる。指紋照合により指紋認証された場合は、ステップＳ６４に進む。ステップＳ６４では、文字の識別判定がなされ、ステップＳ６５に進む。ステップＳ６５では、文字パターンに合致したか否かが判定される。文字パターンが合致した場合は、ステップＳ６６に進む。ステップＳ６６では、文字パターンに合致した数字に対応する行先階が登録される。これに対し、ステップＳ６３で指紋照合により指紋認証されなかった場合や、ステップＳ６５で文字パターンが合致しない場合は、ステップＳ６７に進む。ステップＳ６７では、実施の形態１の図８と同様のエラーメッセージ画面１４が表示され、ステップＳ６１に戻る。
【００６４】
なお、文字認識すべき文字は、行先階に対応した数字だけに限定されない。即ち、各種文字に様々なエレベータの動作を対応付けておけば、カラー液晶パネル７の表示部上で各種文字をなぞることにより、様々なエレベータの動作が登録できる構成になっていればよい。
【００６５】
以上で説明した実施の形態５によれば、表示制御装置８は、カラー液晶パネル７の表示部上の指２１の移動軌跡に基づいて文字認識を行い、文字認識により認識した文字に対応したエレベータの動作を登録する。このため、カラー液晶パネル７の表示部をシンプルなデザインにすることができる。これにより、カラー液晶パネル７の意匠性及び視認性の向上を図ることができる。
【００６６】
特に、多停止のエレベータの場合には、停止階が多くなり、通常の操作盤では行先階ボタンも多くなる。これに対し、実施の形態５のタッチパネル操作盤６では、行先階ボタンの表示が不要となり、顕著な効果を得ることができる。また、行先階ボタンの配置が分からない視覚障害者でも、容易に行先階を登録することができる。
【００６７】
実施の形態６．
図１７はこの発明の実施の形態６におけるエレベータの操作盤の認証画面である。図１８はこの発明の実施の形態６におけるエレベータの操作盤の行先階登録画面の第１例である。図１９はこの発明の実施の形態６におけるエレベータの操作盤の行先階登録画面の第２例である。なお、実施の形態１等と同一又は相当部分には同一符号を付して説明を省略する。
【００６８】
実施の形態１では、行先階ボタンの表示位置が変化しないものであった。一方、実施の形態６では、表示制御装置８は、利用者の指が接触したカラー液晶パネル７の表示部の位置に対応して、カラー液晶パネル７の表示部に表示させるエレベータの操作画面の位置を変化させるものである。以下、実施の形態６のタッチパネル操作盤６を説明する。
【００６９】
図１７において、２２は上部認証領域である。２３は中央部認証領域である。２４は下部認証領域である。図１７においては、中央部認証領域２３に、利用者の指２５が触れている。この場合、実施の形態１と同様に、カラー液晶パネル７の表示部の中央部に行先階ボタンが表示される。
【００７０】
これに対し、上部認証領域２２に、利用者の指２５が触れると、図１８に示すように、カラー液晶パネル７の表示部の上部に行先階ボタンが表示される。一方、下部認証領域２４に、利用者の指２５が触れると、図１９に示すように、カラー液晶パネル７の表示部の下部に行先階ボタンが表示される。
【００７１】
次に、図２０を用いて、実施の形態６のタッチパネル操作盤６の動作を説明する。
図２０はこの発明の実施の形態６におけるエレベータの操作盤の動作を説明するためのフローチャートである。
【００７２】
まず、ステップＳ７１では、初期状態として、カラー液晶パネル７の表示部に、図２の認証画面９が表示され、ステップＳ７２に進む。ステップＳ７２では、カラー液晶パネル７の表示部に利用者の指２５が接触すると、当該指２５がカラー液晶パネル７に検知される。そして、カラー液晶パネル７が当該指２５から指紋を取り込み、ステップＳ７３に進む。ステップＳ７３では、指紋照合が行われる。そして、指紋照合により指紋認証された場合は、ステップＳ７４に進む。
【００７３】
ステップＳ７４では、カラー液晶パネル７の表示部の上部に指２５が触れたか否かが判定される。カラー液晶パネル７の表示部の上部に指２５が触れた場合は、ステップＳ７５に進む。ステップＳ７５では、カラー液晶パネル７の表示部の上部に図１８の行先階登録画面が表示され、ステップＳ７６に進む。ステップＳ７６では、一定時間が経つ前にいずれかの行先階ボタンに指２５が触れたか否かが判定される。いずれかの行先階ボタンに指２５が触れた場合は、ステップＳ７７に進む。ステップＳ７７では、指２５の触れた行先階ボタンに対応した行先階が登録され、動作が終了する。一方、いずれの行先階ボタンにも指２５が触れない場合は、ステップＳ７１に戻る。
【００７４】
これに対し、ステップＳ７４でカラー液晶パネル７の表示部の上部に指２５が触れない場合は、ステップＳ７８に進む。ステップＳ７８では、カラー液晶パネル７の表示部の中央部に指２５が触れたか否かが判定される。カラー液晶パネル７の表示部の中央部に指２５が触れた場合は、ステップＳ７９に進む。ステップＳ７９では、実施の形態１と同様に、カラー液晶パネル７の中央部に図３の行先階登録画面が表示され、上記ステップＳ７６、Ｓ７７を経由して、動作が終了する。
【００７５】
これに対し、ステップＳ７８でカラー液晶パネル７の表示部の中央部に指２５が触れない場合は、ステップＳ８０に進む。ステップＳ８０では、カラー液晶パネル７の表示部の下部に指２５が触れたか否かが判定される。カラー液晶パネル７の下部に指２５が触れた場合は、ステップＳ８０に進む。ステップＳ８０では、カラー液晶パネル７の下部に図１９の行先階登録画面が表示され、上記ステップＳ７６、Ｓ７７を経由して、動作が終了する。
【００７６】
なお、ステップＳ７３で指紋認証がされなかった場合は、ステップＳ８１に進む。ステップＳ８１では、実施の形態１と同様に、カラー液晶パネル７の表示部に、図８のエラーメッセージ画面１４が表示されて、ステップＳ７１に戻る。
【００７７】
以上で説明した実施の形態６によれば、表示制御装置８は、利用者の指２５が接触したカラー液晶パネル７の表示部の位置に対応して、カラー液晶パネル７の表示部に表示させるエレベータの操作画面の位置を変化させる。このため、背の高い利用者、背の低い利用者、車イス利用者等、利用者に応じて、行先階ボタンの表示位置を最適な高さにすることができる。即ち、誰にでも使いやすいユニバーサルデザインのタッチパネル操作盤６を提供することができる。
【００７８】
実施の形態７．
図２１はこの発明の実施の形態７におけるエレベータの操作盤の動作を説明するためのフローチャートである。なお、実施の形態１等と同一又は相当部分には同一符号を付して説明を省略する。
【００７９】
実施の形態６では、指紋認証を行う度に、カラー液晶パネル７への指２５の接触位置を判定していた。一方、実施の形態７では、利用者の指２５がカラー液晶パネル７の表示部に接触する度に、利用者の指２５が接触したカラー液晶パネル７の表示部の位置が、指紋認証位置として、利用者毎に記憶媒体に記録され、記録された指紋認証位置に基づいて、利用者毎に、エレベータの操作画面の位置が変化する。以下、実施の形態７のタッチパネル操作盤６の動作を具体的に説明する。
【００８０】
まず、ステップＳ９１では、初期状態として、カラー液晶パネル７の表示部に、図２の認証画面９が表示され、ステップＳ９２に進む。ステップＳ９２では、カラー液晶パネル７の表示部に利用者の指２５が接触すると、当該指２５がカラー液晶パネル７に検知される。そして、カラー液晶パネル７が当該指２５から指紋を取り込み、ステップＳ９３に進む。ステップＳ９３では、指紋照合が行われる。指紋照合により指紋認証された場合は、ステップＳ９４に進む。
【００８１】
ステップＳ９４では、指紋と指紋認証位置とが記憶媒体に記録され、ステップＳ９５に進む。ステップＳ９５では、記憶媒体に記録された今回の指紋認証位置と同じ指紋の過去の指紋認証位置とに基づいて行先階登録表示位置が決定され、ステップＳ９６に進む。ステップＳ９６では、上記決定に基づき、図３、図１８、図１９等に示されたように、行先階登録画面が表示され、ステップＳ９７に進む。
【００８２】
ステップＳ９７では、一定時間が経つ前にいずれかの行先階ボタンに指２５が触れたか否かが判定される。いずれかの行先階ボタンに指２５が触れた場合は、ステップＳ９８に進む。ステップＳ９８では、指２５の触れた行先階ボタンに対応した行先階が登録され、動作が終了する。一方、いずれの行先階ボタンにも指２５が触れない場合は、ステップＳ９１に戻る。
【００８３】
なお、ステップＳ９３で、指紋認証されなかった場合は、ステップＳ９９に進む。ステップＳ９９では、カラー液晶パネル７の表示部に、エラーメッセージ１９が表示されて、ステップＳ９１に戻る。
【００８４】
以上で説明した実施の形態７によれば、記録されたカラー液晶パネル７の表示部の接触位置に基づいて、利用者毎に、エレベータの操作画面の位置が変化する。このため、データ処理時間が短くなり、エレベータの運転効率を向上することができる。
【００８５】
実施の形態８．
図２２はこの発明の実施の形態８におけるエレベータの操作盤でのモード切替方法を説明するための表示画面である。なお、実施の形態１等と同一又は相当部分には同一符号を付して説明を省略する。
【００８６】
実施の形態１乃至７で利用する半透過型のカラー液晶パネル７は、表示部の複数個所で同時に利用者の指を検知することができる。そこで、実施の形態８においては、一定時間以上、２つの行先階ボタンを同時に触れ続ける特殊な操作を行うと、シークレット階登録モードやメンテナンスモード等に切り換えられる構成とした。ここで、一定時間以上、２つの行先階ボタンを同時に触れ続けることを条件としたのは、偶然に、２つの行先階ボタンを同時に触れてしまった場合に、シークレット階登録モードやメンテナンスモード等に切り換わることを防止するためである。
【００８７】
具体的には、図２２に示すように、「１」と「５」とで示された行先階ボタンに同時に５秒間以上、指２６、２７が触れると、シークレット階登録モードに切り換えられる。また、「２」と「６」とで示された行先階ボタンに同時に５秒間以上、指２６、２７が触れると、メンテナンスモードに切り換えられる。
【００８８】
次に、図２３を用いて、実施の形態８のタッチパネル操作盤６の動作を説明する。
図２３はこの発明の実施の形態８におけるエレベータの操作盤の動作を説明するためのフローチャートである。
【００８９】
まず、ステップＳ１０１では、初期状態として、カラー液晶パネル７の表示部に、図３と同等の行先階登録画面１１が表示され、ステップＳ１０２に進む。ステップＳ１０２で、カラー液晶パネル７の表示部に利用者の指２６、２７が接触すると、当該指２６、２７がカラー液晶パネル７に検知され、ステップＳ１０３に進む。ステップＳ１０３では、複数の行先ボタンに指２６、２７が同時に触れたか否かが判定すれる。
【００９０】
複数の行先ボタンに指２６、２７が同時に触れていない場合は、ステップＳ１０４に進む。ステップＳ１０４では、一つの行先階ボタンに指２６、２７が触れた場合は、ステップＳ１０５に進む。ステップＳ１０５では、指２６、２７の触れた行先階ボタンに対応する１階床の行先階が登録される。一方、一つの行先階ボタンにも指２６、２７が触れていない場合は、ステップＳ１０１に戻る。
【００９１】
これに対し、ステップＳ１０３で複数の行先ボタンに指２６、２７が同時に触れていた場合は、ステップステップＳ１０６に進む。ステップＳ１０６では、「１」と「５」とで示された行先階ボタンに指２６、２７が触れたか否かが判定される。「１」と「５」ボタンとで示された行先階に指２６、２７が触れていた場合は、ステップＳ１０７に進む。ステップＳ１０７では、「１」と「５」とで示された行先階ボタンに指２６、２７が触れている時間が５秒以上か否かが判定される。
【００９２】
「１」と「５」とで示された行先階ボタンに指２６、２７が触れている時間が５秒以上の場合は、ステップＳ１０８に進む。ステップＳ１０８では、図６、図７で説明したシークレット階登録モードに切り換えられ、動作が終了する。一方、「１」と「５」とで示された行先階ボタンに指２６、２７が触れている時間が５秒未満の場合は、ステップＳ１０９に進む。ステップＳ１０９では、１階と５階とが行先階として同時に登録される。
【００９３】
また、ステップＳ１０６で、「１」と「５」とで示された行先階ボタンに指２６、２７が触れていない場合は、ステップＳ１１０に進む。ステップＳ１１０では、「２」と「６」とで示された行先階ボタンに指２６、２７が触れたか否かが判定される。「２」と「６」ボタンに指２６、２７が触れている場合は、ステップＳ１１１に進む。ステップＳ１１１では、「２」と「６」とで示された行先階ボタンに指２６、２７が触れている時間が５秒以上か否かが判定される。
【００９４】
「２」と「６」とで示された行先階ボタンに指２６、２７が触れている時間が５秒以上の場合は、ステップＳ１１２に進む。ステップＳ１１２では、メンテナンスモードに切り換えられ、動作が終了する。一方、ステップＳ１１２で、「２」と「６」とで示された行先階ボタンに指２６、２７が触れている時間が５秒未満の場合は、ステップＳ１１３に進む。ステップＳ１１３では、２階と６階とが行先階として同時に登録される。
【００９５】
また、ステップＳ１１０で、「２」と「６」とで示された行先階ボタンに指２６、２７が触れていない場合は、ステップＳ１１４に進む。ステップＳ１１４では、指２６、２７の触れた２つの行先階ボタンに対応した行先階が同時に登録される。なお、ステップＳ１０４で、１つの行先階ボタンにも指２６、２７が触れていない場合は、ステップＳ１０１に戻る。
【００９６】
以上で説明した実施の形態８によれば、予め設定された一定時間以上、複数の指２６、２７がカラー液晶パネル７に検知されている場合に、カラー液晶パネル７の表示部にエレベータの特定機能であるシークレット階登録モードやメンテナンスモード等の操作画面が表示される。このため、指紋認証時間を必要とせず、特定の利用者のみに、特定のエレベータの操作を行わせることができる。
【００９７】
なお、実施の形態１乃至８の他にも、様々な実施の形態が考えられる。例えば、カラー液晶パネル７の表示部には、エレベータの複数の操作ボタンが、任意の位置に表示されてもよい。この場合、行先階ボタン、戸開閉ボタン、ＵＰ／ＤＯＷＮ呼びボタン、１０キーボタン、その他のオプション機能を作動させるボタン等を、自由なレイアウトで配置することができる。
【産業上の利用可能性】
【００９８】
以上のように、この発明に係るエレベータの操作盤によれば、省スペース化、低コスト化、意匠性の向上を図った操作盤を有するエレベータに利用できる。
【符号の説明】
【００９９】
１  乗場、  ２  乗場出入口、  ３  乗場の戸、  ４  インジケータ、  ５  方向灯、
６  タッチパネル操作盤、  ７  カラー液晶パネル、  ８  表示制御装置、
９  認証画面、  １０  指、  １１  行先階登録画面、  １２  メンテナンス画面、  １３  シークレット階登録画面、  １４  エラーメッセージ画面、
１５  行先階登録画面、  １６  指、  １７  行先階ボタン、  １８  指、
１９  エラーメッセージ、  ２０  手書き登録画面、  ２１  指、
２２  上部認証領域、  ２３  中央部認証領域、  ２４  下部認証領域、
２５〜２７  指
【図１】
0005505418.tif 000002
【図２】
0005505418.tif 000003
【図３】
0005505418.tif 000004
【図４】
0005505418.tif 000005
【図５】
0005505418.tif 000006
【図６】
0005505418.tif 000007
【図７】
0005505418.tif 000008
【図８】
0005505418.tif 000009
【図９】
0005505418.tif 000010
【図１０】
0005505418.tif 000011
【図１１】
0005505418.tif 000012
【図１２】
0005505418.tif 000013
【図１３】
0005505418.tif 000014
【図１４】
0005505418.tif 000015
【図１５】
0005505418.tif 000016
【図１６】
0005505418.tif 000017
【図１７】
0005505418.tif 000018
【図１８】
0005505418.tif 000019
【図１９】
0005505418.tif 000020
【図２０】
0005505418.tif 000021
【図２１】
0005505418.tif 000022
【図２２】
0005505418.tif 000023
【図２３】
0005505418.tif 000024